(57)【要約】【課題】  容易に運搬することができ、また、運搬中の破損を防止することができる吊り具を提供する。【解決手段】  吊り具１００は、上下方向に一列に並ぶ複数の連結片１１、１２、１３と、隣り合う連結片を着脱可能に接続する１以上の接続構造２１、２６と、を有する連結杆１０と、基端部３１が連結杆１０の上端部に連なる第１フック３０と、基端部４１が連結杆１０の下端部に連なる第２フック４０と、を備える。【選択図】      図１
0003226532.tif 000002
【実用新案登録請求の範囲】
【請求項１】
上下方向に一列に並ぶ複数の連結片と、隣り合う前記連結片を着脱可能に接続する１以上の接続構造と、を有する連結杆と、
基端部が前記連結杆の上端部に連なる第１フックと、
基端部が前記連結杆の下端部に連なる第２フックと、を備える、吊り具。
【請求項２】
前記第１フックは、先端部が下方に向かって曲がっており、
前記第２フックは、先端部が上方に向かって曲がっている、請求項１に記載の吊り具。
【請求項３】
前記接続構造は、隣り合う前記連結片のうち一方の前記連結片を水平方向成分を有する方向に貫通する挿通孔と、軸が前記挿通孔に挿通されている雄ねじと、他方の前記連結片に形成され、前記挿通孔と同軸に配置され、前記雄ねじと螺合する雌ねじ孔とを有する、請求項１又は２に記載の吊り具。
【請求項４】
前記接続構造によって接続される一方の前記連結片及び他方の前記連結片は相欠き継ぎ構造を有する、請求項３に記載の吊り具。
【請求項５】
隣り合う前記連結片の端部は、突き合わされ、
前記接続構造は、隣り合う前記連結片の前記端部にそれぞれ形成されている一対の雄ねじと、一対の前記雄ねじと螺合する雌ねじ孔を有する締結部材とを有する、請求項１又は２に記載の吊り具。
【請求項６】
複数の前記連結片は、前記第１フックが連なる第１連結片、第２連結片及び前記第２フックが連なる第３連結片を含み、
１以上の接続構造は、前記第１連結片及び前記第２連結片を着脱可能に接続する第１接続構造と、前記第２連結片及び前記第３連結片を着脱可能に接続する第２接続構造とを含む、請求項１乃至５の何れか１項に記載の吊り具。
【考案の詳細な説明】
【技術分野】
【０００１】
本考案は、吊り具に関する。
【背景技術】
【０００２】
従来から物を吊り下げるために用いられるハンガーが知られている。
【０００３】
例えば特許文献１に記載のハンガーは、基体の上部に引っ掛け部が設けられ、基体の下部寄りには、物を係止して吊り下げる複数の吊り下げ体が設けられている。
【先行技術文献】
【特許文献】
【０００４】
【特許文献１】特開２００４−２３００６０号公報
【考案の概要】
【考案が解決しようとする課題】
【０００５】
ところで、例えば、天井から吊り下げた物が手の届く位置に位置するように、ハンガーの長さを長くする必要が生じる場合があった。しかし、特許文献１に記載のハンガーは、全長が長くなり、運搬中に折れ曲がり、破損しやすいという問題があった。
【課題を解決するための手段】
【０００６】
上記課題を解決するため、本考案のある態様に係る吊り具は、上下方向に一列に並ぶ複数の連結片と、隣り合う前記連結片を着脱可能に接続する１以上の接続構造と、を有する連結杆と、基端部が前記連結杆の上端部に連なる第１フックと、基端部が前記連結杆の下端部に連なる第２フックと、を備える。
【０００７】
この構成によれば、接続構造において接続されている連結片の接続を解除することにより、吊り具の長さを短くすることができる。これによって、容易に運搬することができ、また、運搬中の破損を防止することができる。また、長さの異なる連結片を有する部材に組み替えることによって、吊り具の全長を容易に変更することができる。
【考案の効果】
【０００８】
本考案は、容易に運搬することができ、また、運搬中の破損を防止することができるという効果を奏する。
【図面の簡単な説明】
【０００９】
【図１】本考案の実施の形態１に係る吊り具の構成例を示す正面図である。
【図２】図１の吊り具の第１フック側の端部の構成例を示す縦断面図である。
【図３】図１の吊り具の使用例を示す図である。
【図４】本考案の実施の形態２に係る吊り具の構成例を示す正面図である。
【図５】本考案の実施の形態３に係る吊り具の構成例を示す正面図である。
【図６】本考案の実施の形態４に係る吊り具の構成例を示す正面図である。
【図７】図６の吊り具の接続構造の構成例を示す縦断面図である。
【考案を実施するための形態】
【００１０】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１１】
（実施の形態１）
図１は、実施の形態１に係る吊り具１００の構成例を示す正面図である。図２は、吊り具１００の第１フック３０側の端部の構成例を示す縦断面図である。
【００１２】
吊り具１００は、防犯ネット等を天井から吊るために用いることができるハンガーである。吊り具１００は、図１に示すように、連結杆１０と、第１フック３０と、第２フック４０とを備える。図１に記載した吊り具１００の全長はおよそ７００ｍｍであるがこれに限定されるものではない。また、吊り具１００は、金属製の金具であるが、これに限定されるものではなく、樹脂製であってもよい。
【００１３】
連結杆１０は、全体として上下方向に伸延する杆状に形成され、第１フック３０と第２フック４０とを連結している。連結杆１０は、上下方向に一列に並ぶ第１連結片１１、第２連結片１２及び第３連結片１３を有し、これらは第１接続構造２１及び第２接続構造２６によって接続され、一続きの長い杆状体を呈している。第１連結片１１、第２連結片１２、及び第３連結片１３は、下方に向かって、この順に並んでいる。
【００１４】
第１連結片１１、第２連結片１２及び第３連結片１３は、それぞれ上下方向に伸延する杆状体である。
【００１５】
第１連結片１１は、上端に第１フック３０が一体的に連なる。
【００１６】
第２連結片１２は、上端が第１接続構造２１を介して第１連結片１１の下端に連なる。図２に示すように、第１連結片１１の下端及び第２連結片１２の上端は、相欠き継ぎ構造になっており、第１連結片１１の下端は、水平方向Ｄ１における一方側半分を切り欠いた形状を呈するように押しつぶされている。また、第２連結片１２の上端は、水平方向Ｄ１における他方側半分が切り欠かれたような形状を呈するように押しつぶされている。そして、第１連結片１１の切り欠かれた部分側の面と、第２連結片１２の切り欠かれた部分側の面とを当接し、第１接続構造２１によって接続することによって、第１連結片１１及び第２連結片１２は一続きの杆状体となっている。
【００１７】
また、図１に示すように、第３連結片１３は、上端が第２接続構造２６を介して第２連結片１２の下端に連なる。第２連結片１２の下端及び第３連結片１３の上端は、第１連結片１１及び第２連結片１２と同様に相欠き継ぎ構造になっている。そして、第３連結片１３は、下端に第２フック４０が一体的に連なる。
【００１８】
第１接続構造２１は、隣り合う第１連結片１１及び第２連結片１２を着脱可能に接続する。本実施の形態において、図２に示すように、第１接続構造２１は、挿通孔２２と、雄ねじ２３と、雌ねじ孔２４とを含む。挿通孔２２は、第１連結片１１（隣り合う連結片のうち一方の連結片）を水平方向Ｄ１に貫通する。なお、挿通孔２２が延びる方向は、水平方向に限定されるものではなく、上下方向と交差する方向、すなわち、水平方向成分を有する方向であってもよい。そして、雄ねじ２３の軸２３ｂが挿通孔２２に挿通され、雄ねじ２３の頭部２３ａが第１連結片１１の外側面に当接し、雄ねじ２３の軸２３ｂの先端は、第１連結片１１の内側面（切り欠いた側の面）から突出している。雌ねじ孔２４は、第２連結片１２に形成され、挿通孔２２と同軸に配置されている。この雌ねじ孔２４は、雄ねじ２３の軸２３ｂのねじ山と螺合している。そして、雄ねじ２３を雌ねじ孔２４に緊締することによって、第１連結片１１は、雄ねじ２３の頭部２３ａと第２連結片１２とによって挟持され、挿通孔２２の軸線周りの第１連結片１１の回動が規制される。
【００１９】
第２接続構造２６は、図１に示すように、隣り合う第２連結片１２及び第３連結片１３を着脱可能に接続する。第１接続構造２１の雌ねじ孔２４は、第１連結片１１に形成されているのに対し、第２接続構造２６の雌ねじ孔２４は第３連結片１３に形成されている。その他の第２接続構造２６の構成は、第１接続構造２１と同様であるので、その詳細な説明を省略する。
【００２０】
第１フック３０の基端部３１は、第１連結片１１の上端部（連結杆１０の上端部）に連なっている。また、第１フック３０の先端部３２は、基端部３１との境界部分において略９０度折れ曲がり、その先の部分が、中心角が略２７０度の円弧を描いて伸び、先端が下方に向かって曲がっている。第２フック４０の基端部４１は、第３連結片１３の下端部（連結杆１０の下端部）に連なっている。また、第２フック４０の先端部４２は、中心角が略１８０度の円弧を描いて伸び、先端が上方に向かって曲がっている。
【００２１】
このように、吊り具１００は、第１フック３０、第１連結片１１及び第１接続構造２１の挿通孔２２を含む部材である上フック部材１、第２連結片１２、第１接続構造２１の雌ねじ孔２４、及び第２接続構造２６の雌ねじ孔２４を含む部材である中間部材２、並びに第３連結片１３、第２接続構造２６の挿通孔２２及び第２フック４０を含む部材である下フック部材３の３つの部材から構成されている。
【００２２】
図３は、吊り具１００の使用例を示す図である。
【００２３】
このように構成された吊り具１００を使用するときは、例えば、図３に示すように、第２連結片１２の下端部を持って、ショッピングモールの店舗と通路の境界付近の天井１１０に取り付けられている吊り環１１１に吊り具１００の第１フック３０を引っ掛ける。そして、防犯用ネット１１２の上縁を吊り具１００の第２フック４０に引っ掛ける。これによって、防犯用ネット１１２を天井から容易に吊り下げることができる。
【００２４】
ところで、天井１１０の高さは、店舗によって大きく異なり、吊り具１００に必要とされる長さも様々である。そして、全長が異なる吊り具１００が必要となったときは、第１接続構造２１及び第２接続構造２６の雄ねじ２３を一旦取り外し、中間部材２（第２連結片１２）を長さの異なる中間部材２に組み替え、再度、雄ねじ２３を取り付けることによって、吊り具１００の全長を容易に変更することができる。なお、中間部材２を組み替えるのではなく、第１連結片１１の長さが異なる上フック部材１又は第３連結片１３の長さが異なる下フック部材３に組み替えてもよい。
【００２５】
また、運搬時においても、第１接続構造２１及び第２接続構造２６の雄ねじ２３を一旦取り外し、吊り具１００を分解状態で運搬し、運搬先で再度組み立ててもよい。これによって、長い吊り具１００を短くして運搬することができ、吊り具１００の運搬を容易に行うことができる。また、運搬中の破損（折れ曲がりなど）を防止することができる。
【００２６】
また、中間部材２と上フック部材１及び中間部材２とは、ねじ止めによって固着されているので、分解及び組み立てを容易に行うことができる。
【００２７】
以上の通り、吊り具１００は、上下方向に一列に並ぶ複数の連結片１１、１２、１３と、隣り合う連結片を着脱可能に接続する１以上の接続構造２１、２６と、を有する連結杆１０と、基端部３１が連結杆１０の上端部に連なる第１フック３０と、基端部４１が連結杆１０の下端部に連なる第２フック４０と、を備える。
【００２８】
この構成によれば、接続構造２１、２６において接続されている連結片の接続を解除することにより、吊り具１００の長さを短くすることができる。これによって、容易に運搬することができ、また、運搬中の破損を防止することができる。また、長さの異なる連結片を有する部材に組み替えることによって、吊り具１００の全長を容易に変更することができる。
【００２９】
第１フック３０は、先端部３２が下方に向かって曲がっており、第２フック４０は、先端部４２が上方に向かって曲がっていてもよい。
【００３０】
この構成によれば、吊り具の取り付けを適切に行うことができる。
【００３１】
接続構造２１、２６は、隣り合う連結片のうち一方の連結片を水平方向成分を有する方向に貫通する挿通孔２２と、軸２３ｂが挿通孔２２に挿通されている雄ねじ２３と、他方の連結片に形成され、挿通孔２２と同軸２３ｂに配置され、雄ねじ２３と螺合する雌ねじ孔２４とを有してもよい。
【００３２】
この構成によれば、連結片１１、１２の接続及び接続の解除を容易に行うことができる。
【００３３】
接続構造２１、２６によって接続される一方の連結片及び他方の連結片は相欠き継ぎ構造を有してもよい。
【００３４】
この構成によれば、連結片１１、１２の接続及び接続の解除を容易に行うことができる。
【００３５】
複数の連結片は、第１フック３０が連なる第１連結片１１、第２連結片１２及び第２フック４０が連なる第３連結片１３を含み、１以上の接続構造は、第１連結片１１及び第２連結片１２を着脱可能に接続する第１接続構造２１と、第２連結片１２及び第３連結片１３を着脱可能に接続する第２接続構造２６とを含んでいてもよい。
【００３６】
この構成によれば、第２連結片１２を長さの異なるものに組み替えることによって、吊り具１００の全長を容易に変更することができる。
【００３７】
（実施の形態２）
以下では実施の形態２の構成、動作について、実施の形態１との相違点を中心に述べる。
【００３８】
図４は、実施の形態２に係る吊り具２００の構成例を示す正面図である。
【００３９】
上記実施の形態１において、第２フック４０の先端部４２は、中心角が略１８０度の円弧を描いて伸びていた。これに対し、本実施の形態において、第２フック２４０は、第１フック３０と同様の形状に形成されている。すなわち、第２フック２４０の先端部２４２は、基端部２４１との境界部分において略９０度折れ曲がり、その先の部分が、中心角が略２７０度の円弧を描いて伸び、先端が下方に向かって曲がっている。吊り具２００のその他の構成は、吊り具１００と同様であるので、詳細な説明を省略する。
【００４０】
（実施の形態３）
以下では実施の形態３の構成、動作について、実施の形態１との相違点を中心に述べる。
【００４１】
図５は、実施の形態３に係る吊り具３００の構成例を示す正面図である。
【００４２】
上記実施の形態１において、第１フック３０の先端部３２は、基端部３１との境界部分において略９０度折れ曲がり、その先の部分が、中心角が略２７０度の円弧を描いて伸びていた。これに対し、本実施の形態において、第１フック３３０は、第２フック４０と同様の形状に形成されている。すなわち、第１フック３３０の先端部３３２は、中心角が略１８０度の円弧を描いて伸びている。吊り具３００のその他の構成は、吊り具１００と同様であるので、詳細な説明を省略する。
【００４３】
（実施の形態４）
以下では実施の形態４の構成、動作について、実施の形態１との相違点を中心に述べる。
【００４４】
図６は、実施の形態４に係る吊り具４００の構成例を示す正面図である。図７は、吊り具４００の接続構造４２１の構成例を示す縦断面図である。
【００４５】
吊り具４００は、連結杆４１０と、第１フック３０と、第２フック４０とを備える。図６に記載した吊り具４００の全長は、およそ１５００ｍｍである。
【００４６】
連結杆４１０は、上下方向に一列に並ぶ第１連結片４１１、及び第２連結片４１２を有し、これらは接続構造４２１によって接続され、一続きの長い杆状体を呈している。連結杆４１０のその他の構成は、連結杆１０と同様であるのでその詳細な説明を省略する。
【００４７】
第１連結片４１１及び第２連結片４１２は、上下方向に伸延する杆状体である。
【００４８】
第１連結片４１１は、上端に第１フック３０が一体的に連なる。第２連結片４１２は、下端に第２フック４０が一体的に連なる。
【００４９】
接続構造４２１は、第１連結片４１１及び第２連結片４１２を着脱可能に接続する。
【００５０】
接続構造４２１は、第１連結片４１１の下端部４１１ａ及び第２連結片４１２の上端部４１２ａに形成されている一対の雄ねじ４２２と、一対の雄ねじ４２２と螺合する雌ねじ孔４２３を有する締結部材４２４とを含む。締結部材４２４は、例えば上下方向に伸延する円筒形に形成され、雌ねじ孔４２３は、締結部材４２４の上端と下端とを接続するように締結部材４２４を貫通している。そして、第１連結片４１１の雄ねじ４２２は、締結部材４２４の上端部から下方に向かってねじ込まれている。また、第２連結片４１２の雄ねじ４２２は、締結部材４２４の下端部から上方に向かってねじ込まれている。これによって、図７に示すように、第１連結片４１１の下端部４１１ａ及び第２連結片４１２の上端部４１２ａは、締結部材４２４の内部において、隣り合って突き合わされている。
【００５１】
このように、吊り具４００は、運搬時において、締結部材４２４から、第１連結片４１１又は／及び第２連結片４１２を一旦取り外し、吊り具４００を分解状態で運搬し、運搬先で再度組み立てることができる。これによって、長い吊り具４００を短くして運搬することができ、吊り具４００の運搬を容易に行うことができる。また、運搬中の破損（折れ曲がりなど）を防止することができる。
【００５２】
また、締結部材４２４と第１連結片４１１及び第２連結片４１２とは、ねじ止めによって固着されているので、分解及び組み立てを容易に行うことができる。
【００５３】
以上の通り、吊り具４００は、隣り合う連結片４１１、４１２の端部は、突き合わされ、接続構造４２１は、隣り合う連結片の端部にそれぞれ形成されている一対の雄ねじ４２２と、一対の雄ねじ４２２と螺合する雌ねじ孔４２３を有する締結部材４２４とを有してもよい。
【００５４】
この構成によれば、連結片４１１、４１２の接続及び接続の解除を容易に行うことができる。
【００５５】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００５６】
１０  連結杆
１１  第１連結片
１２  第２連結片
１３  第３連結片
２１  第１接続構造
２６  第２接続構造
３０  第１フック
４０  第２フック
１００  吊り具
【図１】
0003226532.tif 000003
【図２】
0003226532.tif 000004
【図３】
0003226532.tif 000005
【図４】
0003226532.tif 000006
【図５】
0003226532.tif 000007
【図６】
0003226532.tif 000008
【図７】
0003226532.tif 000009